(57)【要約】【課題】分離吸込具を着脱自在に設けた吸込具本体において、分離吸込具の回動範囲が狭く、高所などの掃除の際、その操作性が悪いこと。【解決手段】吸込具本体５に対して上下回動自在の接続管８を後方に連通させて有すると共に吸込具本体５と着脱自在で、吸込具本体５に取り付けられたときに吸込具本体５と連通する分離吸込具１０を備え、分離吸込具１０を吸込具本体５に取り付けたときに、接続管８が吸込具本体５の上下に回動する範囲を、前記吸込具本体５の水平面に対して上側略垂直の角度から水平面下側略垂直の角度までとしたので、吸込具本体５を上に持ち上げたとき、接続管が下方へ最大９０°まで回動でき、使用者が吸込具本体５を持ち上げるだけで高所の水平面に対して吸込具本体５の底面を簡単に接地させることができ、踏み台等を使用しなくても手軽に高所などの掃除が容易にできるものである。【選択図】図７
2006230869.tif 000002
【特許請求の範囲】
【請求項１】
塵埃を吸引する開口部を有する吸込具本体と、前記吸込具本体に対して上下回動自在の接続管を後方に連通させて有すると共に前記吸込具本体と着脱自在で、前記吸込具本体に取り付けられたときに前記吸込具本体と連通する分離吸込具とを備え、前記分離吸込具を前記吸込具本体に取り付けたときに、前記接続管が前記吸込具本体の水平面に対して上下に一定角度の範囲を回動する構成とした電気掃除機用吸込具。
【請求項２】
吸込具本体の水平面に対して上下に回動する範囲を、前記吸込具本体の水平面に対して、上側略垂直の角度から下側略垂直の角度までとした請求項１に記載の電気掃除機用吸込具。
【請求項３】
接続管を略円筒状とすると共に吸込具本体の左右方向に対して回動自在とし、前記接続管を前記吸込具本体の左右方向に対して回動させたときに、前記接続管の中心軸である第二軸が前記接続管を前記吸込具本体の水平面に対して上下回動するための回動軸となる第一軸に対して常に直交する構成とした請求項１または２に記載の電気掃除機用吸込具。
【請求項４】
分離吸込具と接続管との連結部を蛇腹部材にて接続した請求項１〜３のいずれか１項に記載の電気掃除機用吸込具。
【請求項５】
接続管の被掃除面側に起毛布等で構成されたクッション部材を有する請求項１〜４のいずれか１項に記載の電気掃除機吸込具。
【請求項６】
分離吸込具の外郭が前後に伸縮して、分離吸込具の前後の長さを可変できる構成とした請求項１〜５のいずれか1項に記載の電気掃除機用吸込具。
【請求項７】
分離吸込具の外郭を内管と外管で構成し、前記内管と外管とを摺動させて、分離吸込具の前後の長さを可変する構成とした請求項６記載の電気掃除機用吸込具。
【請求項８】
請求項１〜７のいずれか１項に記載の電気掃除機用吸込具を備えた電気掃除機。
【発明の詳細な説明】
【技術分野】
【０００１】
本発明は、電気掃除機用吸込具およびこれを用いた電気掃除機に関するものである。
【背景技術】
【０００２】
従来この種の吸込具及び電気掃除機は、掃除機本体からの延長管の先端に上下動自在な連結部を介してブラシノズルを取り付け、このブラシノズルを吸込具本体の上面に設けた連結口に回動かつ着脱自在に接続した構成となっている。そして吸込具本体では掃除しにくい狭い場所を掃除する際には吸込具本体から下方開口の吸込口を有し、吸込口の周囲にブラシを設けたブラシノズルを離脱させ、このブラシノズルで掃除を行うようになっていた。また広い場所を掃除するときにはブラシノズルを吸込具本体に装着して掃除を行うようになっており、この場合吸込具本体はブラシノズルが吸込具本体に対して回動自在であって、延長管に対して上下動自在としてあるため、吸込具本体を従来と同様上下、左右に回動させて掃除をすることができる（例えば、特許文献１参照）。
【特許文献１】特許第３４５７６３９号公報
【発明の開示】
【発明が解決しようとする課題】
【０００３】
しかしながら上記従来の構成では、連結部の上下に可動できる範囲が被掃除面を基準としたとき上方にのみ最大９０°となっており、使用者の身長以上にある高所の水平面を清掃作業するときに、踏み台などを使って清掃作業する必要があった。
【０００４】
本発明は上記従来の課題を解決するもので、使用者が踏み台などを利用せずに床ノズルで清掃できる範囲を拡大して使用性を向上することができる電気掃除機を提供することを目的としている。
【課題を解決するための手段】
【０００５】
本発明は上記目的を達成するために、本発明の電気掃除機用吸込具は、塵埃を吸引する開口部を有する吸込具本体と、前記吸込具本体に対して上下回動自在の接続管を後方に連通させて有すると共に前記吸込具本体と着脱自在で、前記吸込具本体に取り付けられたときに前記吸込具本体と連通する分離吸込具とを備え、前記分離吸込具を前記吸込具本体に取り付けたときに、前記接続管が前記吸込具本体の水平面に対して上下に一定角度の範囲を回動する構成としたもので、接続管の可動が、被掃除面に対して上下方向にできるようになり、吸込具本体を持ち上げた際に接続管が下方に回動することで吸込具本体の前方部が下がるように動作し、高所の水平部と吸込具本体の底面全体を密着させることが容易になり、使用者が踏み台などを利用せずに床ノズルで高所の清掃ができる等、その清掃範囲を拡大し使用性を向上した電気掃除機を提供できる。
【発明の効果】
【０００６】
本発明によれば、使用者が踏み台などを利用せずに床ノズルで清掃できる範囲を拡大し、使用性を向上した電気掃除機用吸込具およびこれを用いた電気掃除機を提供できる。
【発明を実施するための最良の形態】
【０００７】
第１の発明は、塵埃を吸引する開口部を有する吸込具本体と、前記吸込具本体に対して上下回動自在の接続管を後方に連通させて有すると共に前記吸込具本体と着脱自在で、前記吸込具本体に取り付けられたときに前記吸込具本体と連通する分離吸込具とを備え、前記分離吸込具を前記吸込具本体に取り付けたときに、前記接続管が前記吸込具本体の水平面に対して上下に一定角度の範囲を回動する構成としたもので、接続管の可動が、被掃除面に対して上下方向にできるようになり、吸込具本体を持ち上げた際に接続管が下方に回動することで吸込具本体の前方部が下がるように動作し、高所の水平部と吸込具本体の底面全体を密着させることが容易になり、使用者が踏み台などを利用せずに床ノズルで高所の清掃ができる等、その清掃範囲を拡大し使用性を向上した電気掃除機を提供できる。
【０００８】
第２の発明は、第１の発明の吸込具本体の水平面に対して上下に回動する範囲を、前記吸込具本体の水平面に対して、上側略直角の角度から下側略直角の角度までとしたもので、吸込具本体を上に持ち上げたとき、接続管が下方へ最大９０°まで回動できるので、使用者が吸込具本体を持ち上げて、高所の水平面に対して吸込具本体の底面全体を密着させることを、より容易に行なえるようになり、踏み台等を使用しないで行なう高所などの掃除作業がより容易になるものである。
【０００９】
第３の発明は、第１または第２の発明の接続管を略円筒状とすると共に吸込具本体の左右方向に対して回動自在とし、前記接続管を前記吸込具本体の左右方向に対して回動させたときに、前記接続管の中心軸である第二軸が前記接続管を前記吸込具本体の水平面に対して上下回動するための回動軸となる第一軸に対して常に直交する構成としたので、高所などの掃除作業がさらに、し易くできるものである。
【００１０】
第４の発明は、第１〜第３のいずれか１つの発明の分離吸込具と接続管との連結部を蛇腹部材にて接続したので、接続管と分離吸込具とを一本の管状に形成することができ、吸引風の乱流が少なくできるので、吸気音を低減することができる。また、接続管を水平、垂直方向に容易に回動でき、操作性も向上する。
【００１１】
第５の発明は、第１〜第４のいずれか１つの発明の接続管の被掃除面側に起毛布等で構成されたクッション部材を有するので、接続管を水平よりも下方に回動できるので、接続管の底面を直接被掃除面に当てずにクッション部材で保護して、被掃除面に傷をつけることを防止することができる。
【００１２】
第６の発明は、第１〜第５のいずれか１つの発明の分離吸込具の外郭が前後に伸縮して、分離吸込具の前後の長さを可変できる構成としたので、分離吸込具の全長を長くすることができるようになり、より奥の隙間や高所の水平面を掃除可能になる面積を拡大でき使い勝手を向上できるものである。
【００１３】
第７の発明は、第６の発明の分離吸込具の外郭を内管と外管で構成し、前記内管と外管とが摺動させて、分離吸込具の前後の長さを可変する構成としたので、分離吸込具の全長が可変し、内管が伸びることにより先端側の幅が狭くできるので、より奥の隙間や高所の水平面を掃除可能になる面積を拡大でき使い勝手を向上できるものである。
【００１４】
第８の発明は、第１〜第７のいずれか１つの発明に記載の電気掃除機用吸込具を備えた電気掃除機としたもので、掃除可能な範囲が広く、操作性の優れた電気掃除機を提供できる。
【００１５】
以下、本発明の実施の形態について、図面を参照しながら説明する。なお、この実施の形態によって本発明が限定されるものではない。
【００１６】
（実施の形態１）
以下、本発明の第１の実施の形態を、図１〜図７を用いて説明する。
【００１７】
本実施の形態は、床移動型の電気掃除機１及びその塵埃吸込口となる吸込具本体５について示すものである。この電気掃除機１は、先端に吸込具本体５を着脱可能に装着した延長管４は手元ハンドル３に連結され、手元ハンドル３から延出するホース７はホース継ぎ手６によって掃除機本体２に連結されている。
【００１８】
吸込具本体５は延長管４に接続管８を介して接続され、吸込具本体５の略中央、後方部に接続管８を上下回動自在に保持した分離吸込具１０が吸込具本体５に着脱自在に装着して構成され、分離吸込具１０が内蔵される構造を有した吸気ヘッド９とともに吸込具本体５を構成している。
【００１９】
分離吸込具１０には、前方開口とする先端吸気口１１と下方開口とする下面吸気口１２が設けられている。一方、吸気ヘッド９には、前方部に左右に伸びて下面に開口された開口部１３が設けられている。開口部１３に臨み回転自在に設けられた回転ブラシ１４は、モーターやタービンなどの駆動源１５により回転駆動する。回転ブラシ１４が収められた空間部は吸気室１６として設けられ、吸気室１６の略中央部から分離吸込具１０に連通する吸気口１７が設けられている。分離吸込具１０が吸気ヘッド９に収納されることで、吸気口１７と先端吸気口１１は連通されることになる。また、分離吸込具１０が吸気ヘッド９に収納されたときに、分離吸込具着脱手段１８により分離吸込具１０は吸気ヘッド９に保持される。
【００２０】
本実施の形態において、回転ブラシ１４は電動機にて回転駆動する構成となっている。駆動源１５の駆動力はベルト１９により回転ブラシ１４に伝達する構成となっている。また、駆動源１５は掃除機本体２から供給された電源を受けるために制御基盤２０と接続されている。制御基盤２０には、掃除機本体２からの電源を受ける端子２１も接続されている。制御基盤２０は、吸込具本体５が掃除面から離れたときに回転ブラシ１４の回転を停止させる離床検知部５１と、電動機である駆動源１５の回転が拘束されてしまったときに焼きつくことを防止するための電源遮断部２２を有している。
【００２１】
吸気ヘッド９の後方略中央部は、凹状の切欠き２３が設けられており、切欠き２３を挟み込み様に、吸気ヘッド９下面から突出するローラーなどで構成された走行機構２４が設けられている。
【００２２】
分離吸込具１０の後方には上下に回動する接続管８があり、接続管８の回動する軸を第一軸２５とする。第一軸２５を上下から挟持して、第一軸２５と直交する回動軸、第二軸２６を有する接続管保持部２７が構成されている。接続管８と接続管保持部２７を中空にかつ回動自在に連結する連結部２８は、柔軟性を求められるため蛇腹などにより構成されている。また、第一軸２５の可動範囲は、吸込具本体の水平面に対して、上下方向に略垂直、つまり第二軸２６に直行した軸面に対して略１８０°の範囲で可動出来る構成となっている。また、第一軸２５の構造は内部が中空な構造となっており、駆動源１５に電源を供給するための電線２９が配備されており、電線２９は第一軸２５の内部で中空管３０を通して設けられている。また、接続管８の下面には起毛布やエラストマーなどで成型されたクッション部材３１が設置されている。
【００２３】
分離吸込具１０の前方の外郭は、内管３２と外管３３から構成されており、内管３２の先端には先端吸気口１１があり、内管３２部が外管３３から延長されて分離吸込具１０が前後方向に伸縮するように構成されている。また、内管３２の先端には内管３２の外側面を覆うように設置され、使用時には先端吸気口１１の前方部を塞ぐように可動して、吸気風を下方に調整できるように設けたブラシ３４が可動自在に設けられている。ブラシ３４は樹脂部品に植毛などして構成されている。
【００２４】
上記構成における動作は以下の通りである。
【００２５】
吸気ヘッド９は、分離吸込具１０をセットした状態で掃除機本体２に延長管４、ホース７を介して接続されることで通常の掃除機と同じように使用することができる。掃除機本体２から供給される電源は吸気ヘッド９を介して端子２１、制御回路２０を通じて、電動機である駆動源１５に電源が伝達する。駆動源１５が作動することで動力はベルト１９を介して回転ブラシ１４に伝達される。回転ブラシ１４で集塵された塵埃は、掃除機本体２により発生した負圧により、開口部１３から吸気室１６に集められ、吸気口１７、先端吸気口１１を通じて、連結部２８、接続管８、延長管４、ホース７に至り掃除機本体２に集塵される。
【００２６】
家具間の隙間や狭い場所を掃除する際に、通常、吸気ヘッド９と分離吸込具１０を一旦延長管４から外し、隙間ノズルなどの別吸込具を接続する必要があったが、本実施例においては、分離吸込具着脱手段１８を足などで踏み込むことにより、分離吸込具１０を吸気ヘッド９から分離させて掃除することができる。狭いとこで、少し奥まったところで分離吸込具１０の長さが若干足りない場合には、内管３２を引き出すことで長さを調整し、奥まった場所でも清掃することができる。また、サッシなど段がある場所で、先端吸気口１１では清掃しにくい場所では、ブラシ３４を展開することで先端吸気口１１の先にブラシ体を形成して、ブラシ３４で吐き出しながら段差部を清掃することができる。
【００２７】
たんすなどの家具の上を清掃するときには、ハタキや場合によっては踏み台などを用意して清掃する必要が通常ではあるが、接続管８を下方に折り曲げることにより、開口部１３を手元ハンドル３を上方に持ち上げたときに下方に向くように調節できるために、吸気ヘッド９がついた状態でも、家具上の清掃をすることができる。また、吸気ヘッド９では操作しにくい細かい場所、または吸気ヘッド９が重くて清掃しにくい場合には、分離吸込具１０を取り外し、分離吸込具１０で清掃作業することで、掃除作業の負担を軽減できる。このときに、内管３２を外管３３から引き出すことや、ブラシ３４を展開することで、高所ですこし奥まった場所、細かい場所、段差部など幅広い掃除作業をすることができる。
【００２８】
以上により、本実施の形態における構造を有した吸込具本体５においては、手元ハンドル３を操作し、操作ペダル１８などを操作するだけで、簡単に分離吸込具１０を吸気ヘッド９から着脱できる構成を有し、吸気ヘッド９が上下に自在に回動することや、前後に伸縮自在であること、ブラシ３４を展開することで、家屋の狭い隙間や壁、天井など立体的に掃除することを簡単にできる使い勝手がよく、着脱性に優れた電気掃除機を提供することができる。
【産業上の利用可能性】
【００２９】
以上のように本発明によれば、簡単に分離吸込具を吸込具本体から着脱できる構成を有し、分離吸込具に上下に回動できる接続管および可変する構造を設けることで、家屋の狭い隙間や壁、天井など立体的に掃除することを簡単にできる使い勝手がよく、着脱性に優れた電気掃除機を提供することができる。
【図面の簡単な説明】
【００３０】
【図１】本発明の実施の形態１を示す電気掃除機用吸込具の上面図
【図２】同電気掃除機用吸込具の分離吸込具を外した上面図
【図３】同電気掃除機用吸込具の分離吸込具を外した下面図
【図４】同電気掃除機用吸込具の分離吸込具の側面図
【図５】同電気掃除機用吸込具の分離吸込具の一実施例の側面図
【図６】同電気掃除機用吸込具の接続管部の断面図
【図７】同電気掃除機用吸込具を装着した電気掃除機の斜視図
【符号の説明】
【００３１】
５    吸込具本体
８    接続管
１０  分離吸込具
２５  第一軸
２６  第二軸
２８  連結部
３１  クッション部材
３２  内管
３３  外管
【図１】
2006230869.tif 000003
【図２】
2006230869.tif 000004
【図３】
2006230869.tif 000005
【図４】
2006230869.tif 000006
【図５】
2006230869.tif 000007
【図６】
2006230869.tif 000008
【図７】
2006230869.tif 000009